(57)【要約】【課題】打球の方向性を安定化させ、かつ、飛距離を向上させることができるゴルフクラブを提供する。【解決手段】クラブシャフト２の断面形状が、一定の肉厚をもつ略楕円環形状であって、その略楕円の長軸の方向と、クラブヘッド４のフェース面とが略平行になるように構成する。【選択図】図１
0003110755.tif 000002
【実用新案登録請求の範囲】
【請求項１】
クラブシャフトの断面形状が、一定の肉厚をもつ略楕円環形状であって、その略楕円の長軸の方向と、クラブヘッドのフェース面とが略平行になるように構成されていることを特徴とするゴルフクラブ。
【請求項２】
前記クラブヘッドは、その重心が前記クラブシャフトの中心軸の延長線上に配置されていることを特徴とする請求項１に記載のゴルフクラブ。
【請求項３】
前記略楕円の長軸は、その短軸の略２．５倍であることを特徴とする請求項１または２に記載のゴルフクラブ。
【請求項４】
前記クラブシャフトの、グリップ部の断面形状を円環形状とし、前記クラブヘッドとの接続部近辺の断面形状を楕円環形状としたことを特徴とする請求項１〜３のいずれか１項に記載のゴルフクラブ。
【考案の詳細な説明】
【技術分野】
【０００１】
本考案は、ゴルフクラブに関するものである。
【背景技術】
【０００２】
従来のゴルフクラブは、断面形状が円環形状であるクラブシャフトの両端に、クラブヘッドとグリップ部とを備えてなるものであり、スイング時に撓りを生じさせてその反力を利用し、ボールをより遠くに飛ばすことができるように構成されている。
【考案の開示】
【考案が解決しようとする課題】
【０００３】
しかしながら、従来のゴルフクラブは、その断面形状が円環形状であるため、使用者のスイング次第でどちらの方向にも撓ってしまう構造であった。従って、スイングの軌道にブレが生じた場合、そのブレの方向にクラブシャフトは撓り、スイングの方向に関わらず、その撓りの方向に打球が飛んでしまうことがあった。
また、撓りと同様に、クラブシャフトの捻れも発生し易く、打球の方向性および飛距離に悪影響を与えていた。
【０００４】
本考案は上記事情に鑑みてなされたものであり、その目的とするところは、打球の方向性を安定化させ、かつ、飛距離を向上させることができるゴルフクラブを提供することにある。  
【課題を解決するための手段】
【０００５】
上記課題を解決するために本考案は、クラブシャフトの断面形状が、一定の肉厚をもつ略楕円環形状であって、その略楕円の長軸の方向と、クラブヘッドのフェース面とが略平行になるように構成されている。ここで、略楕円には、楕円形状および小判形状が含まれるものとする。
【０００６】
また、上記構成において、前記クラブヘッドは、その重心が前記クラブシャフトの中心軸の延長線上に配置されているのが好ましい。
【０００７】
また、上記構成において、前記楕円の長軸は、その短軸の略２．５倍であるのが好ましく、前記クラブシャフトの、グリップ部の断面形状を円環形状とし、前記クラブヘッドとの接続部近辺の断面形状を楕円環形状とするのが好ましい。
【考案の効果】
【０００８】
上記のように構成された本考案のゴルフクラブによれば、クラブシャフトの断面形状が、一定の肉厚をもつ略楕円環形状であって、その略楕円の長軸の方向とクラブヘッドのフェース面とが略平行になるように構成されているので、長軸まわりの所謂断面２次モーメントは、短軸まわりの断面２次モーメントよりも小さくなる。クラブシャフトの撓りの大きさは断面２次モーメントの値に反比例するため、本考案にかかるゴルフクラブは、長軸方向よりも短軸方向、すなわち意図する打球方向への撓りが大きくなり、打球の方向性を安定化させる共に、飛距離を向上させることができる。
【０００９】
また、同様に、本考案にかかるゴルフクラブによれば、クラブシャフトの捻れを低減することができ、更に、打球の方向性を安定化させる共に、飛距離を向上させることができる。
なお、クラブヘッドの重心をクラブシャフトの中心軸の延長線上に配置したときは、更にクラブシャフトの捻れを低減することができる。
【００１０】
なお、クラブシャフトのグリップ嵌合部の断面形状を円環形状としたときは、汎用のグリップ部材を使用することができ、より実用性が高くなる。
【考案を実施するための最良の形態】
【００１１】
以下、図面を参照して本考案の好ましい一実施形態につき説明する。
【００１２】
図１は、本考案にかかるゴルフクラブ１の正面図および側面図であり、図２は、図１におけるＡ−Ａ線に沿った断面図である。図１に示すように、ゴルフクラブ１は、クラブシャフト２の基端および先端に、それぞれグリップ部３およびクラブヘッド４を備えてなるものである。
【００１３】
クラブシャフト２は、カーボンファイバー製であり、図２に示す如く、断面における外形が小判形である肉厚一定の環状に形成されている（この断面形状を以下、小判環断面形状と称する）。更に、クラブシャフト２は、その断面形状における長軸Ｌの方向がクラブヘッド４のフェース面と略平行となるように、クラブヘッド４と接続されている。
【００１４】
グリップ部３は、一般のグリップ部材と同様にゴム製の有底筒状に形成されており、クラブシャフト２の基端に、密接に嵌合されて結合されている。
また、クラブヘッド４は、クラブシャフト２の先端に所定のロフト角とライ角とを持たせ、図１に示す如く、その重心ｇがクラブシャフト２の中心軸の延長線上にくるように取り付けられている。
【００１５】
上記のように構成されたゴルフクラブ１によれば、長軸Lまわりの断面２次モーメントＩＬは、短軸Ｓまわりの断面２次モーメントＩＳよりも小さくなる。
従って、
Ｗ＝Ｐ・ｄ３／（３Ｅ・Ｉ）・・・式（１）
（Ｐ：クラブシャフト２にかかる力、ｄ：クラブシャフト２の長さ、Ｅ：ヤング率、Ｉ：断面２次モーメント）
で示されるクラブシャフト２の撓りの量Ｗは、長軸方向よりも、短軸方向すなわち意図する打球方向の方が大きくなるため、打球の方向性を安定化させる共に、飛距離を向上させることができる。
【００１６】
また、ＩＰ＝ＩＬ＋ＩＳで示される、図心Ｃに関する断面極２次モーメントＩＰは、断面係数を同等すなわち強度を同等にして比較した場合、従来の円環断面形状の場合よりもクラブシャフト２の場合の方が大きくなる。
従って、
θ＝Ｔ／（Ｇ・ＩＰ）・・・式（２）
（Ｔ：トルク、Ｇ：横弾性係数）
で示されるクラブシャフト２の捻れ角θは、従来の円環断面形状のものよりも小さくなり、更に、打球の方向性を安定化させる共に、飛距離を向上させることができる。
また、アドレス等の際、クラブシャフト２の手元の外形に着目することで、短軸Ｓの向いている方向すなわちフェースの向いている方向を確認し易くすることもできる。
【００１７】
一例として、上記クラブシャフト２の小判環断面形状の各寸法を下記のとおりとし（実施形態１）、従来の円環断面形状の場合と断面係数を同等（強度を同等）にして、それぞれの断面２次モーメントおよび断面極２次モーメントを計算し、比較した。その結果を図３に示す。なお、図３における比は、小判環断面形状の場合の各数値を円環断面形状の場合の各数値で割った値である。
［小判環断面形状の寸法（実施形態１）］
長軸の長さ：１４ｍｍ、短軸の長さ：５．５ｍｍ、厚さ：０．５ｍｍ
［円環断面形状の寸法（従来）］
外径：９ｍｍ、厚さ：０．５ｍｍ
【００１８】
図３に示すとおり、小判環断面形状の長軸Ｌまわりの断面２次モーメントは、円環断面形状のそれと比べて約０．６４倍となり、かつ、小判環形状断面の図心Ｃに関する断面極２次モーメントは、円環断面形状のそれと比べて約１．７４倍となることがわかる。従って、式（１）および（２）より、本実施形態にかかるゴルフシャフト２は、従来のものと比べ、短軸方向すなわち意図する打球方向への撓りの大きさを約１．５５倍とし、捻れの大きさを約０．５７倍とすることができる。
【００１９】
また、本実施形態にかかるクラブシャフト２において、スイング方向（図４ａにおける矢印Z方向）が意図する打球方向（図４ａにおける矢印X方向）から角度φだけ傾いた場合のスイング方向および意図する打球方向に関する断面２次モーメントを計算し、比較した。結果を図４ｂに示す。なお、スイング方向および意図する打球方向に関する断面２次モーメントとは、それぞれの方向に直交する軸まわりの断面２次モーメントを意味する。また、図４ｂにおける比は、意図する打球方向に関する断面２次モーメントの各数値を、スイング方向に関するそれの各数値で割った値である。
【００２０】
図４ｂに示すとおり、本実施形態にかかるクラブシャフト２によれば、スイングにブレが生じて、例えばφ＝２０°となった場合、意図する打球方向に関する断面２次モーメントはスイング方向（ブレの方向）に関するそれの約０．７９倍となることがわかる。従って、式（１）より、クラブシャフト２の撓りは、ブレの方向よりも意図する打球方向へ約１．２７倍撓り易くなる。
【００２１】
なお、本考案にかかるクラブシャフトの材質は、スチールまたはグラスファイバー等、クラブシャフトに使用し得る材質であればよい。
また、クラブシャフトのグリップ嵌合部の断面形状のみを、通常の円環形状となるように形成してもよい。この場合、ラバー等の表面が滑りにくく柔軟性のある材料で円筒状に構成された汎用のグリップ部品を利用することができ、実用性も高くなる。
【図面の簡単な説明】
【００２２】
【図１】本考案にかかるゴルフクラブの一例を示す正面図および側面図である。
【図２】図１におけるＡ−Ａ線に沿った断面図である。
【図３】本考案の一実施例にかかるクラブシャフトおよび従来のクラブシャフトの断面形状特性を示す図である。
【図４】本考案の一実施例にかかるクラブシャフトの断面２次モーメントの方向特性を示すための図である。
【符号の説明】
【００２３】
ｇ  重心
１  ゴルフクラブ
２  クラブシャフト
３  グリップ部
４  クラブヘッド
【図１】
0003110755.tif 000003
【図２】
0003110755.tif 000004
【図３】
0003110755.tif 000005
【図４】
0003110755.tif 000006